【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
離型材、粘着剤層、表層、の順で積層され、
ラベル本体と、前記ラベル本体の周囲の余白部とを有するラベルであって、
前記ラベル本体は前記粘着剤層と前記表層とからなり、
前記余白部は前記粘着剤層と前記表層とからなり、
前記余白部の前記表層にインクジェットプリンタによる印刷パターンを有し、
前記ラベル本体と前記余白部との間は、前記表層及び前記粘着剤層に切れ込みを有し、
前記余白部の周囲は前記離型材が露出していることを特徴とするラベル。
【請求項２】
前記印刷パターンのラベル送り方向と直交する方向の長さが、前記ラベル本体のラベル送り方向と直交する方向の長さより長いことを特徴とする請求項１記載のラベル。
【請求項３】
前記印刷パターンは、前記インクジェットプリンタが有する全ての種類の色のインクの吐出により形成された印刷パターンであることを特徴とする請求項１または２記載のラベル。
【請求項４】
前記印刷パターンは、異なる単色のパターンを複数列並べて形成された印刷パターンであることを特徴とする請求項１ないし３のいずれか１項に記載のラベル。
【請求項５】
前記印刷パターンは、単色のインクの吐出により形成された印刷パターンであることを特徴とする請求項１または２記載のラベル。
【請求項６】
請求項５記載のラベルを、前記インクジェットプリンタのインクの色の種類と少なくとも同じ数、有し、
さらに、前記インクジェットプリンタのインクの色の種類と同じ数の前記ラベルからなる繰返し単位を有するラベル原反であって、
前記繰返し単位のそれぞれの前記ラベルは、前記インクジェットプリンタのそれぞれ異なる単色のインクの吐出による前記印刷パターンを有し、
前記繰返し単位には、前記インクジェットプリンタが有する全ての色のインクの単色の吐出による印刷パターンを有することを特徴とするラベル原反。
【請求項７】
請求項１ないし６のいずれか１項に記載のラベルのラベル本体が、
ベースフィルムと、前記ベースフィルム上に配設されたアンテナと、前記アンテナに接続されたＩＣチップとを備えるＩＣタグを、
前記表層と前記粘着層との間に備えることを特徴とするＩＣタグラベル。
【請求項８】
離型材、粘着剤層、表層、の順で積層され、
ラベル本体と前記ラベル本体の周囲の余白部とを有し、
前記ラベル本体は前記粘着剤層と前記表層とからなり、
前記余白部は前記粘着剤層と前記表層とからなり、
前記ラベル本体と前記余白部との間は前記表層及び前記粘着剤層に切れ込みを有し、
前記余白部の周囲は前記離型材が露出しているラベルを用いて、
前記余白部に、前記ラベル本体の送り方向の幅よりも長い印刷ヘッドを有するインクジェットプリンタで、印刷パターンを形成する工程を具備することを特徴とするラベルの印刷方法。
【請求項９】
離型材、粘着剤層、表層、の順で積層し、
ラベル本体と、前記ラベル本体の周囲の余白部とを有し、
前記ラベル本体は前記粘着剤層と前記表層とからなり、
前記余白部は前記粘着剤層と前記表層とからなり、
前記ラベル本体と前記余白部との間は前記表層及び前記粘着剤層に切れ込みを有し、
前記余白部の周囲は前記離型材が露出しているラベルを用いて、
前記余白部に、前記ラベル本体の送り方向の幅よりも長い印刷ヘッドを有するインクジェットプリンタで、印刷パターンを形成する工程（ａ）と、
前記インクジェットプリンタの画像読み取り部が前記印刷パターンを読み取り、
前記インクジェットプリンタが読み取った前記印刷パターンに基づいて吐出不良ノズルの存在位置を検出する工程（ｂ）と、
を具備することを特徴とするインクジェットプリンタのノズル不良の検査方法。
【手続補正２】
【補正対象書類名】明細書
【補正対象項目名】０００９
【補正方法】変更
【補正の内容】
【０００９】
前述した目的を達成するために、第１の発明は、離型材、粘着剤層、表層、の順で積層され、ラベル本体と、前記ラベル本体の周囲の余白部とを有するラベルであって、前記ラベル本体は前記粘着剤層と前記表層とからなり、前記余白部は前記粘着剤層と前記表層とからなり、前記余白部の前記表層にインクジェットプリンタによる印刷パターンを有し、前記ラベル本体と前記余白部との間は、前記表層及び前記粘着剤層に切れ込みを有し、前記余白部の周囲は前記離型材が露出していることを特徴とするラベルである。
【手続補正３】
【補正対象書類名】明細書
【補正対象項目名】００１０
【補正方法】変更
【補正の内容】
【００１０】
また、前記印刷パターンのラベル送り方向と直交する方向の長さが、前記ラベル本体のラベル送り方向と直交する方向の長さより長いことが好ましい。
【手続補正４】
【補正対象書類名】明細書
【補正対象項目名】００１１
【補正方法】変更
【補正の内容】
【００１１】
また、前記印刷パターンは、前記インクジェットプリンタが有する全ての種類の色のインクの吐出により形成された印刷パターンであることや、前記印刷パターンは、異なる単色のパターンを複数列並べて形成された印刷パターンであること、前記印刷パターンは、単色のインクの吐出により形成された印刷パターンであることが望ましい。
【手続補正５】
【補正対象書類名】明細書
【補正対象項目名】００１２
【補正方法】変更
【補正の内容】
【００１２】
第２の発明は、前記ラベルを、前記インクジェットプリンタのインクの色の種類と少なくとも同じ数、有し、さらに、前記インクジェットプリンタのインクの色の種類と同じ数の前記ラベルからなる繰返し単位を有するラベル原反であって、前記繰返し単位のそれぞれの前記ラベルは、前記インクジェットプリンタのそれぞれ異なる単色のインクの吐出による前記印刷パターンを有し、前記繰返し単位には、前記インクジェットプリンタが有する全ての色のインクの単色の吐出による印刷パターンを有することを特徴とするラベル原反である。
【手続補正６】
【補正対象書類名】明細書
【補正対象項目名】００１３
【補正方法】変更
【補正の内容】
【００１３】
第３の発明は、前記ラベルのラベル本体が、ベースフィルムと、前記ベースフィルム上に配設されたアンテナと、前記アンテナに接続されたＩＣチップとを備えるＩＣタグを、前記表層と前記粘着層との間に備えることを特徴とするＩＣタグラベルである。
【手続補正７】
【補正対象書類名】明細書
【補正対象項目名】００１４
【補正方法】変更
【補正の内容】
【００１４】
第４の発明は、離型材、粘着剤層、表層、の順で積層され、ラベル本体と前記ラベル本体の周囲の余白部とを有し、前記ラベル本体は前記粘着剤層と前記表層とからなり、前記余白部は前記粘着剤層と前記表層とからなり、前記ラベル本体と前記余白部との間は前記表層及び前記粘着剤層に切れ込みを有し、前記余白部の周囲は前記離型材が露出しているラベルを用いて、前記余白部に、前記ラベル本体の送り方向の幅よりも長い印刷ヘッドを有するインクジェットプリンタで、印刷パターンを形成する工程を具備することを特徴とするラベルの印刷方法である。
【手続補正８】
【補正対象書類名】明細書
【補正対象項目名】００１５
【補正方法】変更
【補正の内容】
【００１５】
第５の発明は、離型材、粘着剤層、表層、の順で積層し、ラベル本体と、前記ラベル本体の周囲の余白部とを有し、前記ラベル本体は前記粘着剤層と前記表層とからなり、前記余白部は前記粘着剤層と前記表層とからなり、前記ラベル本体と前記余白部との間は前記表層及び前記粘着剤層に切れ込みを有し、前記余白部の周囲は前記離型材が露出しているラベルを用いて、前記余白部に、前記ラベル本体の送り方向の幅よりも長い印刷ヘッドを有するインクジェットプリンタで、印刷パターンを形成する工程（ａ）と、前記インクジェットプリンタの画像読み取り部が前記印刷パターンを読み取り、前記インクジェットプリンタが読み取った前記印刷パターンに基づいて吐出不良ノズルの存在位置を検出する工程（ｂ）と、を具備することを特徴とするインクジェットプリンタのノズル不良の検査方法である。
【手続補正９】
【補正対象書類名】明細書
【補正対象項目名】００１６
【補正方法】削除
【補正の内容】